(57)【要約】      （修正有）【課題】こたつの天板とこたつ布団が簡単にずれないように固定できるこたつ天板固定器具を提供する。【解決手段】こたつ布団４と天板２の間に設置するもので、下面の布団側には布団に傷がつかないように半円筒形または半球状の突起を付けており、この突起がこたつ台の格子状の内枠３に布団の上から組み合わさり、固定器具１が内枠３の位置から動かないようになっている。上面の天板側には吸着性のあるゴム状のシートをつけており、このシートが天板２に吸着して、天板２が横に滑らないように固定される。【選択図】図１
0003181897.tif 000002
【実用新案登録請求の範囲】
【請求項１】
こたつ布団と天板との間に挟む器具で、図７で表すように固定盤５の上面には天板を固定する為の吸着シート６があり、下面にはこたつ布団の上からこたつ台の内枠の１本に跨るように組み合わせる為の平行した２本の半円筒形の突起７を設置した、こたつの天板とこたつ布団を固定する為のこたつ天板固定器具である。
【請求項２】
請求項１において、２本の平行した半円筒形の突起７の間隔を調整する為に、図５で表すように固定盤５に設置した突起幅調整ナット９と、突起７の溝の間で位置を調整して締める突起幅調整ネジ８を設けた、こたつ天板固定器具。
【請求項３】
こたつ布団と天板との間に挟む器具で、図１２で表すように固定盤５の上面には天板を固定する為の吸着シート６があり、下面にはこたつ布団の上からこたつ台の内枠のクロスした部分に組み合わせるように４個の半球状の突起１０を設置した、こたつの天板とこたつ布団を固定する為のこたつ天板固定器具である。
【考案の詳細な説明】
【技術分野】
【０００１】
本考案は、こたつの天板とこたつ布団を固定する器具に関するものである。
【考案の概要】
【考案が解決しようとする課題】
【０００２】
こたつの構成は殆どの場合、こたつの台にこたつ布団を被せ、その上から天板を載せる構成になっており、こたつ布団を引っ張ったり、天板に横から力をかけたりすると、簡単にずれてしまうようになっている。こたつ布団がずれると暖気が抜けてしまったり、天板がずれると天板の上に置いた物が落ちたりする等の不都合がある。
【０００３】
こたつの天板とこたつ布団を固定するとした場合に、完全に動かないように固定してしまうと、こたつ布団の広がっている部分を誤って踏んでしまった場合に、こたつ布団が破けたり、転倒してしまう可能性があり危険である。
【課題を解決するための手段】
【０００４】
本考案のこたつ天板固定器具は、こたつ布団と天板の間に設置するもので、下面の布団側には布団に傷がつかないように半円筒形または半球状の突起を付けており、この突起がこたつ台の格子状の内枠に布団の上から組み合わさり、固定器具が内枠の位置から動かないようになっている。上面の天板側には吸着性のあるゴム状のシートをつけており、このシートが天板に吸着して、天板が横に滑らないように固定される。
【考案の効果】
【０００５】
本考案のこたつ天板固定器具は、こたつ布団の上からこたつ台の内枠に合わせて置くだけで、上からの天板の重さにより、こたつ布団を挟んで固定している為、弱い力でこたつ布団を引っ張っても布団と天板は動かないが、ある程度強い力で引っ張れば動くようになっており、誤ってこたつ布団の端を踏む等で、強くこたつ布団が引っ張られる事があっても、柔軟にずれてこたつ布団が破損し難い効果がある。
【図面の簡単な説明】
【０００６】
【図１】こたつ天板固定器具の設置例の斜視図
【図２】こたつ天板固定器具の設置例の上から見た図
【図３】こたつ天板固定器具の上部正面図
【図４】こたつ天板固定器具の側面図
【図５】こたつ天板固定器具の横側面図
【図６】こたつ天板固定器具の下部正面図
【図７】こたつ天板固定器具の設置時上部斜視図
【図８】こたつ天板固定器具の設置時下部斜視図
【図９】こたつ天板固定器具クロス枠用の上部正面図
【図１０】こたつ天板固定器具クロス枠用の側面図
【図１１】こたつ天板固定器具クロス枠用の下部正面図
【図１２】こたつ天板固定器具クロス枠用の設置時上部斜視図
【考案を実施するための形態】
【０００７】
こたつ天板固定器具は、図１の様にこたつ台の格子状の内枠と外枠が接している部分に設置するタイプと、図１２の様にこたつ台の格子状の内枠がクロスしている部分に設置するタイプの２種類があり、どちらのタイプにおいても、こたつ台にこたつ布団を被せた上に、図１または図１２のように格子状の内枠に組み合わさるように置き、その上から天板を載せる。天板は器具上部の吸着シートで滑らないように固定され、こたつ布団は天板の重さで器具と内枠に挟まれて固定される。こたつ１台につき２箇所から４箇所にこの器具を設置することで、上下左右の何れの方向へも固定できる。
【実施例】
【０００８】
図１の様に、こたつ台３にこたつ布団４を被せ、その上からこたつの内枠と外枠の接する部分にこたつ天板固定器具１を置いて、天板２を載せる。
【０００９】
こたつ天板固定器具をこたつ布団の上に置く場合に、図８の様に器具下面の半円筒形の突起７がこたつ台の内枠３に組み合わさるように置くが、こたつ台の内枠３の太さとこたつ布団の厚さに合わせて、突起幅調整ネジ８で両側の半円筒形の突起７の幅を調整して、内枠と器具が程よく組み合わさるようにする。
【００１０】
図１２は、こたつの内枠がクロスしている部分で固定するタイプの設置方法を表している。こたつ台にこたつ布団を被せ、内枠のクロス部分に、器具下面に４つ付いている半球状の突起１０を組み合わせて置き、その上から天板を置く。
【符号の説明】
【００１１】
１  こたつ天板固定器具
２  天板
３  こたつの内枠
４  こたつ布団
５  固定盤
６  吸着シート
７  半円筒形の突起
８  突起幅調整ネジ
９  突起幅調整ナット
１０  半球状の突起
【図１】
0003181897.tif 000003
【図２】
0003181897.tif 000004
【図３】
0003181897.tif 000005
【図４】
0003181897.tif 000006
【図５】
0003181897.tif 000007
【図６】
0003181897.tif 000008
【図７】
0003181897.tif 000009
【図８】
0003181897.tif 000010
【図９】
0003181897.tif 000011
【図１０】
0003181897.tif 000012
【図１１】
0003181897.tif 000013
【図１２】
0003181897.tif 000014
【手続補正書】
【提出日】平成24年12月13日(2012.12.13)
【手続補正１】
【補正対象書類名】実用新案登録請求の範囲
【補正対象項目名】全文
【補正方法】変更
【補正の内容】
【実用新案登録請求の範囲】
【請求項１】
こたつのこたつ布団と天板を固定する器具において、こたつ布団と天板の間に挟んで固定
する平面の器具で、上面の天板を固定する側には吸着性のあるゴム状のシートを保持して
おり、下面のこたつ布団を固定する側には、こたつ布団の上からこたつ台の内枠の１本に
噛み合わせる為の平行した２つの半円筒形の突起を保持した形状を特徴とするこたつ天板
固定器具。
【請求項２】
請求項１に記載のこたつ天板固定器具において、２つの平行した半円筒形の突起の間隔を
調整する為に、器具本体の固定盤に突起幅調整ナットを固定して取付けており、半円筒形
の突起には突起のスライド方向に長いネジ穴があり、突起の間隔にネジ穴の位置を合わせ
て留める突起幅調整ネジを設けたこたつ天板固定器具。
【請求項３】
こたつのこたつ布団と天板を固定する器具において、こたつ布団と天板の間に挟んで固定
する平面の器具で、上面の天板を固定する側には吸着性のあるゴム状のシートを保持して
おり、下面のこたつ布団を固定する側には、こたつ布団の上からこたつ台の内枠のクロス
した部分に噛み合わせる為の４つの半球状の突起を保持した形状を特徴とするこたつ天板
固定器具。